(57)【要約】【課題】当該方法によると、いずれの携帯電話も非常に高い高同心度の効果を達成できるようにし、廃棄の問題が存在せず、背景技術に記載されたカメラ光学中心と外観ウィンドウ中心の同心度の偏心が深刻で、不良率が高まる問題を解決できる。当該装置は、プロジェクター（７）、コンピュータ（６）、調整アセンブリ（５）を含み、操作が簡単であり、当該装置によれば、いずれの携帯電話も非常に高い高同心度の効果を達成できるようにする。【解決手段】本発明は、光学中心校正方法、及び装置に関し、前記方法は、ウィンドウカバー（２）が固定装着され、カメラ（３）が予め装着された後に、カメラの位置を調整するステップを含み、当該カメラの位置を調整するステップにおいて、ウィンドウカバー（２）における外観ウィンドウ中心（９）を基準にしてカメラの光学中心（８）位置を調整することにより、カメラの光学中心（８）と外観ウィンドウの中心（９）との同心度要求を満足させる。【選択図】図１
2016505875.tif 000002
【特許請求の範囲】
【請求項１】
ウィンドウカバーが固定装着され、カメラが予め装着された後に、カメラの位置を調整するステップを含み、
前記カメラの位置を調整するステップにおいて、前記ウィンドウカバーにおける外観ウィンドウの中心を基準にして前記カメラの光学中心の位置を調整することにより、前記カメラの光学中心と前記外観ウィンドウの中心との同心度要求を満足させることを特徴とする光学中心校正方法。
【請求項２】
前記カメラの位置を調整するステップは、
前記カメラと前記外観ウィンドウの正面視方向における正投影を取得するステップ１００と、
取得した前記カメラと前記外観ウィンドウの正投影に基づいて、調整目標と調整領域を設定するステップ２００と、
前記調整目標と前記調整領域の差異に基づいて、前記調整目標が前記調整領域内に位置するように前記カメラの実際の位置を調整することにより、前記カメラの光学中心と前記外観ウィンドウの中心との同心度要求を満足させるステップ３００と、
を含むことを特徴とする請求項１に記載の光学中心校正方法。
【請求項３】
前記ステップ１００において、前記カメラの光学中心及び前記カメラの外径の正面視方向における正投影を取得し、前記外観ウィンドウの中心及び前記外観ウィンドウの外径の正面視方向における正投影を取得することを特徴とする請求項２に記載の光学中心校正方法。
【請求項４】
前記ステップ２００において、前記調整目標は、前記カメラの光学中心の正面視方向における正投影と同心を持つ円であり、前記円の直径は、前記外観ウィンドウの外径と等しく、前記調整領域は、前記外観ウィンドウの中心の正面視方向における正投影と同心を持つリングであり、前記リングの外径と内径は、それぞれ前記外観ウィンドウの外径のプラス位置誤差及びマイナス位置誤差の値であることを特徴とする請求項３に記載の光学中心校正方法。
【請求項５】
前記ステップ３００において、前記円と前記リングの差異に基づいて、前記円が前記リングの領域内に位置するまで、前記カメラの実際のＸ方向位置及びＹ方向位置を調整することを特徴とする請求項４に記載の光学中心校正方法。
【請求項６】
前記ステップ２００において、調整目標は、前記カメラの光学中心の正面視方向における正投影と同心を持つ円であり、前記円の直径は、前記カメラの外径と等しく、前記調整領域は、前記外観ウィンドウの中心の正面視方向における正投影と同心を持つリングであり、前記リングの外径と内径は、それぞれ前記カメラの外径のプラス位置誤差及びマイナス位置誤差の値であることを特徴とする請求項３に記載の光学中心校正方法。
【請求項７】
前記ステップ３００において、前記円と前記リングの差異に基づいて、前記円が前記リングの領域内に位置するまで、前記カメラの実際のＸ方向位置及びＹ方向位置を調整することを特徴とする請求項６に記載の光学中心校正方法。
【請求項８】
請求項２乃至請求項７のいずれか１項に記載の光学中心校正方法を実行する光学中心校正装置であって、
プロジェクター、コンピュータ、及び調整アセンブリを含み、
前記プロジェクターは、前記カメラと前記外観ウィンドウの正面視方向における正投影を取得し、
前記コンピュータは、取得した前記カメラと前記外観ウィンドウの正投影に基づいて、前記調整目標及び前記調整領域を設定し、
前記調整アセンブリは、前記カメラの実際の位置を調整することを特徴とする光学中心校正装置。
【請求項９】
前記調整アセンブリは２つ設けられ、
前記２つの調整アセンブリは、前記カメラの光学中心に対して、それぞれ横方向と縦方向の軸線に設けられ、
前記２つの調整アセンブリは、ぞれぞれ前記カメラに隣接して設けられ、
前記２つの調整アセンブリは、それぞれ前記カメラと接触し、
前記調整アセンブリは、それぞれ１つのスクリューと１つの弾性片を含み、前記スクリューは、ケーシングに固定され、前記スクリューは、前記カメラに対してＺ方向で移動し、前記スクリューの挿入／引き出しによって、前記弾性片が変形および復元され、前記カメラの実際の位置を調整することを特徴とする請求項８に記載の光学中心校正装置。
【請求項１０】
前記弾性片は、全体的にＵ形に形成され、
前記弾性片の一端は、前記ケーシングに固定され、前記弾性片の他端は、前記カメラを支持し、前記弾性片の中心部分は、前記スクリューと接触することを特徴とする請求項９に記載の光学中心校正装置。
【発明の詳細な説明】
【技術分野】
【０００１】
本発明は、移動通信分野に関するものであって、特に光学中心校正方法、及び装置に関するものである。
【背景技術】
【０００２】
移動電話は、一般的に、携帯電話と呼ばれ、カメラは、標準配置で各種携帯電話に設けられている。カメラは、携帯電話の前面部と背面部の異なる場所に設けられて、フロントカメラとリアカメラとして用いられている。ここで、フロントカメラは、自分撮り、電話会議に用いられ、リアカメラは、通常の撮影に用いられる。以下、リアカメラを例として具体的に説明する。
【発明の概要】
【発明が解決しようとする課題】
【０００３】
リアカメラにおいて、ウィンドウカバーとカメラのいずれもフロントケーシングに装着され、ウィンドウカバーとカメラは、いずれも自体の外形サイズによって位置決めされる。ウィンドウカバー、すなわちタッチスクリーン保護ガラスには、表示領域、カメラ領域、アイコン領域等が印刷され、ここで、カメラの領域は、外観ウィンドウとも呼ばれる。しかしながら、携帯電話の外観に対するユーザの要求の高まりに伴い、カメラ光学中心と外観ウィンドウの中心の同心度に対する要求もますます高くなり、さらにより多くのユーザがレンズの偏心、すなわち非同心によって使用感が落ちると不満を提起している。
上記背景技術に記載された制限に加えて、各部品の加工時に必然的に誤差が存在するため、カメラの光学中心と外観ウィンドウの中心の同心度の深刻な偏心現象を回避するためには、加工精度を高めて加工誤差を下げる必要がある。しかしながら、同心度の偏心現象は、下げることはできるが、完全に避けることはできず、大量生産する過程で一定の分布法則を有する。つまり、非常に良いものもあって、悪いものもある。一旦組み立てが完了すると、同心度の偏心状況は固定され、再調整できなくなる。もし同心度偏心が深刻であると、新たに生産するか、廃棄するしかなく、これは不良率の上昇をもたらす。
本発明の実施例は、背景技術に記載されたカメラの光学中心と外観ウィンドウの中心の同心度の偏心が深刻で、不良率が高くなる問題を解決するために、光学中心校正方法、及び装置を提供する。その解決策は、下記の通りである。
【課題を解決するための手段】
【０００４】
本発明の実施例の第１の態様によると、光学中心校正方法を提供し、当該光学中心校正方法は、
ウィンドウカバーが固定装着され、カメラが予め装着された後に、カメラの位置を調整するステップを含み、
前記カメラの位置を調整するステップにおいて、前記ウィンドウカバーにおける外観ウィンドウ中心を基準にして前記カメラの光学中心の位置を調整することにより、前記カメラの光学中心と前記外観ウィンドウの中心との同心度要求を満足させる。
好ましくは、前記カメラの位置を調整するステップは、
前記カメラと前記外観ウィンドウの正面視方向における正投影を取得するステップ１００と、
取得した前記カメラと前記外観ウィンドウの正投影に基づいて、調整目標と調整領域を設定するステップ２００と、
調整目標と調整領域の差異に基づいて、前記調整目標が前記調整領域内に位置するように前記カメラの実際の位置を調整することにより、前記カメラの光学中心と前記外観ウィンドウの中心との同心度要求を満足させるステップ３００と、を含む。
好ましくは、前記ステップ１００において、前記カメラの光学中心及び前記カメラの外径の正面視方向における正投影を取得し、前記外観ウィンドウ中心及び前記外観ウィンドウの外径の正面視方向における正投影を取得する。
好ましくは、前記ステップ２００において、前記調整目標は、前記カメラの光学中心の正面視方向における正投影と同心を持つ円であり、前記円の直径は、前記外観ウィンドウの外径と等しく、前記調整領域は、前記外観ウィンドウ中心の正面視方向における正投影と同心を持つリングであり、前記リングの外径と内径は、それぞれ前記外観ウィンドウの外径のプラス位置誤差及びマイナス位置誤差の値である。
好ましくは、前記ステップ３００において、前記円と前記リングの差異に基づいて、前記円が前記リングの領域内に位置するまで、前記カメラの実際のＸ方向位置及びＹ方向位置を調整する。
好ましくは、前記ステップ２００において、調整目標は、前記カメラの光学中心の正面視方向における正投影と同心を持つ円であり、前記円の直径は、前記カメラの外径と等しく、前記調整領域は、前記外観ウィンドウ中心の正面視方向における正投影と同心を持つリングであり、前記リングの外径と内径は、それぞれ前記カメラの外径のプラス位置誤差及びマイナス位置誤差の値である。
好ましくは、前記ステップ３００において、前記円と前記リングの差異に基づいて、前記円が前記リングの領域内に位置するまで、前記カメラの実際のＸ方向位置及びＹ方向位置を調整する。
本発明の実施例の第２の態様によると、前記光学中心校正方法を実行する光学中心校正装置を提供し、当該光学中心校正装置は、
プロジェクター、コンピュータ、及び調整アセンブリを含み、
前記プロジェクターは、前記カメラと前記外観ウィンドウの正面視方向における正投影を取得し、
前記コンピュータは、取得した前記カメラと前記外観ウィンドウの正投影に基づいて、前記調整目標及び前記調整領域を設定し、
前記調整アセンブリは、前記カメラの実際の位置を調整する。
好ましくは、前記調整アセンブリは２つ設けられ、
前記２つの調整アセンブリは、前記カメラの光学中心に対して、それぞれ横方向と縦方向の軸線に設けられ、
前記２つの調整アセンブリは、ぞれぞれ前記カメラに隣接して設けられ、
前記２つの調整アセンブリは、それぞれ前記カメラと接触し、
前記調整アセンブリは、それぞれ１つのスクリューと１つの弾性片を含み、前記スクリューは、ケーシングに固定され、前記スクリューは、前記カメラに対してＺ方向で移動し、前記スクリューの挿入／引き出しによって、前記弾性片が変形および復元され、前記カメラの実際の位置を調整する。
好ましくは、前記弾性片は、全体的にＵ形に形成され、
前記弾性片の一端は、前記ケーシングに固定され、前記弾性片の他端は、前記カメラを支持し、前記弾性片の中心部分は、前記スクリューと接触する。
【発明の効果】
【０００５】
本発明の実施例に係る解決策は、以下の有益な効果を含む。
本発明の実施例に係る方法によると、ウィンドウカバーが固定装着され且つカメラが予め装着された後、カメラの位置を調整するステップを追加することにより、上記カメラの光学中心と上記外観ウィンドウの中心との同心度要求を満足させるので、上記方法によれば、いずれの携帯電話も非常に高い同心度の効果を達成できるようにし、廃棄の問題が存在しない。また、背景技術に記載されたカメラ光学中心と外観ウィンドウ中心の同心度の偏心が深刻で、不良率が高まる問題を解決できる。
本発明の実施例の上記装置は、操作が簡単な利点を備え、上記装置によれば、いずれの携帯電話も非常に高い同心度の効果を達成できるようにする。
また、本発明は、フロントカメラに限定されず、リアカメラにも適用できる。
以上の一般的な記述と、以下の詳細の記述は、ただ例示的なものであって、本発明を限定するものではないことを理解すべきである。
【図面の簡単な説明】
【０００６】
本発明の実施例の解決策をより明確に説明するために、以下の実施例の説明に用いられる図面について簡単に紹介する。以下に述べる図面は、ただ、本発明の一部の実施例であり、これらの図面に基づいて、創造的労働なしに他の図面を得ることは、当業者にとって自明である。
【図１】本発明の実施例に係る光学中心校正方法のフローチャートである。
【図２】本発明の実施例に係る携帯電話の正面図である。
【図３】本発明の実施例に係る携帯電話の側面図である。
【図４】本発明の実施例に係る上記調整アセンブリが携帯電話に適用された背面図である。
【図５】本発明の実施例に係る上記装置が携帯電話に適用された構成図である。
【図６】本発明の実施例に係る調整目標と調整領域の調整前の状態を示す図である。
【図７】本発明の実施例に係る調整アセンブリとカメラの拡大図である。
【図８】図７でＹ方向調整アセンブリを取り外したＡ方向の図である。
【図９】本発明の実施例に係る調整目標と調整領域の調整後の状態を示す図である。  上記図面は、明細書に組み入れて本明細書の一部分を構成し、本発明に該当する実施例を例示するとともに、明細書とともに本発明の原理を解釈するために用いられる。
【発明を実施するための形態】
【０００７】
本発明の目的、解決策と利点をより明確にするために、以下の図面に合わせて、本発明の実施例についてさらに詳細に説明する。
【０００８】
実施例１
図１は、１つの例示的な実施例に係る光学中心校正方法のフローチャートであり、図２乃至図１１を参照することもできる。本実施例においては、図１を主として説明を行う。本実施例においては、カメラ３（図２を参照）がリアカメラの携帯電話を例とする。上記方法は、ウィンドウカバー２（図３を参照）が固定装着され、カメラ３（図２を参照）が予め装着された後に追加されるステップであって、カメラ３（図２を参照）の位置を調整するステップを含む。カメラ３（図２を参照）の位置を調整するステップにおいて、ウィンドウカバー２（図３を参照）における外観ウィンドウ中心９（図６を参照）を基準にして、カメラ３（図２を参照）の光学中心の位置を調整することにより、カメラ光学中心８（図６を参照）と外観ウィンドウの中心９（図６を参照）との同心度要求を満足させる。
【０００９】
本発明の上記方法によると、ウィンドウカバー２（図３を参照）が固定装着され且つカメラ３（図３を参照）が予め装着された後、カメラ３（図３を参照）の位置を調整するステップを追加することにより、カメラ３（図３を参照）の光学中心と外観ウィンドウの中心９との同心度要求を満足させるので、上記方法によれば、いずれの携帯電話も非常に高い同心度の効果を達成できるようにし、廃棄の問題が存在しない。また、背景技術に記載されたカメラ光学中心８（図６を参照）と外観ウィンドウ中心９（図６を参照）の同心度の偏心が深刻で、不良率が高まる問題を解決できる。
【００１０】
もちろん、当業者は、本発明がリアカメラ３（図３を参照）に限定されるものではなく、フロントカメラ３（図３を参照）にも適用できることを理解すべきである。
図１は、１つの例示的な実施例に係る光学中心校正方法のフローチャートであり、カメラ３の位置を調整するステップは、下記のステップを含む。
【００１１】
ステップ１００において、図５に示すように、カメラ３と外観ウィンドウ４（図２を参照）の正面視方向における正投影を取得する。
【００１２】
ステップ２００において、図６に示すように、取得されたカメラ３（図２を参照）と外観ウィンドウ４（図２を参照）の正投影に基づいて、調整目標１０と調整領域１１を設定する。
【００１３】
ステップ３００において、図６のように、調整目標１０と調整領域１１の差異に基づいて、カメラ３（図７を参照）の実際の位置を調整して、図９に示すように、調整目標１０が調整領域１１内に位置するようにすることにより、カメラ光学中心８と外観ウィンドウの中心９との同心度要求を満足させる。
【００１４】
例えば、図６を参照すると、ステップ１００において、カメラ光学中心８とカメラ３（図２を参照）の外径の正面視方向における正投影を取得し、外観ウィンドウ中心９及び外観ウィンドウ４（図２を参照）の外径の正面視方向における正投影を取得する。
【００１５】
例えば、図６に示すように、ステップ２００において、調整目標１０は、カメラ光学中心８の正面視方向における正投影と同心を持つ１つの円であり、上記円の直径は、外観ウィンドウ４（図２を参照）の外径と等しく、調整領域１１は、外観ウィンドウ中心９の正面視方向における正投影と同心を持つ１つのリングであり、上記リングの外径と内径は、それぞれ、外観ウィンドウ４（図２を参照）の外径のプラス位置誤差及びマイナス位置誤差の値である。
【００１６】
また、図６に示すように、ステップ３００において、上記円と上記リングの差異に基づいて、図９に示すように、上記円が上記リング領域内に位置するまで、カメラ３（図７を参照）の実際のＸ方向位置とＹ方向位置を調整する。
【００１７】
図６を参照すると、ステップ２００において、調整目標１０は、カメラ光学中心８の正面視方向における正投影と同心を持つ円であり、上記円の直径は、カメラ３（図２を参照）の外径と等しく、調整領域１１は、外観ウィンドウ中心９の正面視方向における正投影と同心を持つ１つのリングであり、上記リングの外径と内径は、それぞれカメラ３（図２を参照）の外径のプラス位置誤差及びマイナス位置誤差の値である。
【００１８】
図６を参照すると、ステップ３００において、上記円と上記リングの差異に基づいて、図９に示すように、上記円が上記リング領域内に位置するまで、カメラ３（図７を参照）の実際のＸ方向位置とＹ方向位置を調整する。
【００１９】
実施例２
図５に示すように、図５は、１つの例示的な実施例に係る上記光学中心校正方法に適用される装置であり、本発明は、図２〜図９を参照することもできる。本実施例においては、図５を主として説明を行う。上記装置は、プロジェクター７、コンピュータ６、調整アセンブリ５（図７を参照）を含み、ここで、プロジェクタ７は、カメラ３と外観ウィンドウ４（図２を参照）の正面視方向における正投影を取得して、コンピュータ６に送信し、コンピュータ６は、取得したカメラ３と外観ウィンドウ４（図２を参照）の正投影に基づいて、調整目標１０（図６を参照）、および調整領域１１（図６を参照）を設定し、調整アセンブリ５（図７を参照）は、カメラ３の実際の位置を調整する。
【００２０】
本発明の上記装置によると、いずれの携帯電話も非常に高い同心度の効果を達成できるようにして、廃棄の問題が存在せず、背景技術に記載されたカメラ光学中心８（図６を参照）と外観ウィンドウ中心９（図６を参照）の同心度の偏心が激しくて不良率が高くなる問題を解決できる。また、本発明の上記装置は、操作が簡単な利点を備え、上記装置によれば、いずれの携帯電話も非常に高い同心度の効果を達成できるようにする。
【００２１】
もちろん、当業者は、本発明がリアカメラ３（図２を参照）に限定されるものではなく、フロントカメラ３にも適用できることを理解すべきである。
【００２２】
例えば、図７に示すように、調整アセンブリ５は、２つが設けられている。つまり、Ｘ方向調整アセンブリ５ＡとＹ方向調整アセンブリ５Ｂが設けられている。上記２つの調整アセンブリ５、すなわちＸ方向調整アセンブリ５ＡとＹ方向調整アセンブリ５Ｂは、それぞれカメラ光学中心８に対して横方向と縦方向の軸線に設けられ、上記２つの調整アセンブリ５、すなわち、Ｘ方向調整アセンブリ５ＡとＹ方向調整アセンブリ５Ｂは、カメラ３に隣接して設けられ、上記２つの調整アセンブリ５、すなわちＸ方向調整アセンブリ５ＡとＹ方向調整アセンブリ５Ｂは、それぞれカメラ３と接触する。
【００２３】
上記各調整アセンブリ、すなわちＸ方向調整アセンブリ５ＡとＹ方向調整アセンブリ５Ｂは、それぞれ１つのスクリュー５１と１つの弾性片５２を含み、スクリュー５１は、ケーシング１に固定される。図８を参照すると、スクリュー５１は、カメラ３に対してＺ方向で移動し、スクリュー５１の挿入／引き出しによって、スクリュー５１の前端と弾性片５２の干渉量が変化し、これにより弾性片５２が変形および復元され、カメラ３の実際の位置を調整する。
【００２４】
本実施例において、図８に示すように、弾性片５２は、全体的にＵ形に形成され、弾性片５２の一端は、ケーシング１に固定され、弾性片５２の他端は、カメラ３を支持し、弾性片５２の中心部分は、スクリュー５１と接触する。
【００２５】
本実施例において、スクリュー５１が挿入されると、カメラ３がＸ方向の右側に移動し、スクリュー５１が引き出されると、カメラ３がＸ方向の左側に移動する。ここで、本実施例の右側と左側は、図８に基づいて定義された右と左である。
【００２６】
図９に示すように、調整目標１０が調整領域１１内に位置するまで、図８のように、Ｘ方向調整アセンブリ５ＡとＹ方向調整アセンブリ５Ｂを調整して、カメラ３の光学中心と外観ウィンドウの中心９との同心度要求を満足させる。
【００２７】
上記本発明の実施例の番号は、単に記述のためのものであって、実施例の優先順位を表さない。
上記は、ただ本発明の好適な実施例であり、本発明を限定しない。本発明の思想と原則内での任意の修正、均等代替、改善などはすべて本発明の範囲に属する。
【００２８】
本願は、出願番号がＣＮ２０１３１０３３１９４８．０であって、出願日が２０１３年８月１日である中国特許出願に基づき優先権を主張し、当該中国特許出願のすべての内容を本願に援用する。
【符号の説明】
【００２９】
図２乃至図９に示された符号の意味は、次のとおりである。
１：ケーシング
２：ウィンドウカバー
３：カメラ
４：外観ウインドウ
５：調整アセンブリ
５Ａ：Ｘ方向調整アセンブリ
５Ｂ：Ｙ方向調整アセンブリ
５１：スクリュー
５２：弾性片
６：コンピュータ
７：プロジェクター
８：カメラ光学中心
９：外観ウインドウの中心
１０：調整目標
１１：調整領域。
【図１】
2016505875.tif 000003
【図２】
2016505875.tif 000004
【図３】
2016505875.tif 000005
【図４】
2016505875.tif 000006
【図５】
2016505875.tif 000007
【図６】
2016505875.tif 000008
【図７】
2016505875.tif 000009
【図８】
2016505875.tif 000010
【図９】
2016505875.tif 000011
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ウィンドウカバーが固定装着され、カメラが予め装着された後に、カメラの位置を調整するステップを含み、
前記カメラの位置を調整するステップにおいて、前記ウィンドウカバーにおける外観ウィンドウの中心を基準にして前記カメラの光学中心の位置を調整することにより、前記カメラの光学中心と前記外観ウィンドウの中心との同心度要求を満足させることを特徴とする光学中心校正方法。
【請求項２】
前記カメラの位置を調整するステップは、
前記カメラと前記外観ウィンドウの正面視方向における正投影を取得するステップ１００と、
取得した前記カメラと前記外観ウィンドウの正投影に基づいて、調整目標と調整領域を設定するステップ２００と、
前記調整目標と前記調整領域の差異に基づいて、前記調整目標が前記調整領域内に位置するように前記カメラの実際の位置を調整することにより、前記カメラの光学中心と前記外観ウィンドウの中心との同心度要求を満足させるステップ３００と、
を含むことを特徴とする請求項１に記載の光学中心校正方法。
【請求項３】
前記ステップ１００において、前記カメラの光学中心及び前記カメラの外径の正面視方向における正投影を取得し、前記外観ウィンドウの中心及び前記外観ウィンドウの外径の正面視方向における正投影を取得することを特徴とする請求項２に記載の光学中心校正方法。
【請求項４】
前記ステップ２００において、前記調整目標は、前記カメラの光学中心の正面視方向における正投影と同心を持つ円であり、前記円の直径は、前記外観ウィンドウの外径と等しく、前記調整領域は、前記外観ウィンドウの中心の正面視方向における正投影と同心を持つリングであり、前記リングの外径と内径は、それぞれ前記外観ウィンドウの外径のプラス位置誤差及びマイナス位置誤差の値であることを特徴とする請求項３に記載の光学中心校正方法。
【請求項５】
前記ステップ３００において、前記円と前記リングの差異に基づいて、前記円が前記リングの領域内に位置するまで、前記カメラの実際のＸ方向位置及びＹ方向位置を調整することを特徴とする請求項４に記載の光学中心校正方法。
【請求項６】
前記ステップ２００において、調整目標は、前記カメラの光学中心の正面視方向における正投影と同心を持つ円であり、前記円の直径は、前記カメラの外径と等しく、前記調整領域は、前記外観ウィンドウの中心の正面視方向における正投影と同心を持つリングであり、前記リングの外径と内径は、それぞれ前記カメラの外径のプラス位置誤差及びマイナス位置誤差の値であることを特徴とする請求項３に記載の光学中心校正方法。
【請求項７】
前記ステップ３００において、前記円と前記リングの差異に基づいて、前記円が前記リングの領域内に位置するまで、前記カメラの実際のＸ方向位置及びＹ方向位置を調整することを特徴とする請求項６に記載の光学中心校正方法。
【請求項８】
請求項２乃至請求項７のいずれか１項に記載の光学中心校正方法を実行する光学中心校正装置であって、
プロジェクター、コンピュータ、及び調整アセンブリを含み、
前記プロジェクターは、前記カメラと前記外観ウィンドウの正面視方向における正投影を取得し、
前記コンピュータは、取得した前記カメラと前記外観ウィンドウの正投影に基づいて、前記調整目標及び前記調整領域を設定し、
前記調整アセンブリは、前記カメラの実際の位置を調整することを特徴とする光学中心校正装置。
【請求項９】
前記調整アセンブリは２つ設けられ、
前記２つの調整アセンブリは、前記カメラの光学中心に対して、それぞれ横方向と縦方向の軸線に設けられ、
前記２つの調整アセンブリは、ぞれぞれ前記カメラに隣接して設けられ、
前記２つの調整アセンブリは、それぞれ前記カメラと接触し、
前記調整アセンブリは、それぞれ１つのスクリューと１つの弾性片を含み、前記スクリューは、ケーシングに固定され、前記スクリューは、前記カメラに対してＺ方向で移動し、前記スクリューの挿入／引き出しによって、前記弾性片が変形および復元され、前記カメラの実際の位置を調整することを特徴とする請求項８に記載の光学中心校正装置。
【請求項１０】
前記弾性片は、全体的にＵ形に形成され、
前記弾性片の一端は、前記ケーシングに固定され、前記弾性片の他端は、前記カメラを支持し、前記弾性片の中心部分は、前記スクリューと接触することを特徴とする請求項９に記載の光学中心校正装置。
【請求項１１】
プロセッサに実行されることにより、請求項１から請求項７のいずれか１項に記載の光学中心校正方法を実現することを特徴とするプログラム。
【請求項１２】
請求項１１に記載のプログラムが記録された記録媒体。
【手続補正３】
【補正対象書類名】明細書
【補正対象項目名】０００１
【補正方法】変更
【補正の内容】
【０００１】
本発明は、移動通信分野に関するものであって、特に光学中心校正方法、装置、プログラム、及び記憶媒体に関するものである。
【手続補正４】
【補正対象書類名】明細書
【補正対象項目名】０００３
【補正方法】変更
【補正の内容】
【０００３】
リアカメラにおいて、ウィンドウカバーとカメラのいずれもフロントケーシングに装着され、ウィンドウカバーとカメラは、いずれも自体の外形サイズによって位置決めされる。ウィンドウカバー、すなわちタッチスクリーン保護ガラスには、表示領域、カメラ領域、アイコン領域等が印刷され、ここで、カメラの領域は、外観ウィンドウとも呼ばれる。しかしながら、携帯電話の外観に対するユーザの要求の高まりに伴い、カメラ光学中心と外観ウィンドウの中心の同心度に対する要求もますます高くなり、さらにより多くのユーザがレンズの偏心、すなわち非同心によって使用感が落ちると不満を提起している。
上記背景技術に記載された制限に加えて、各部品の加工時に必然的に誤差が存在するため、カメラの光学中心と外観ウィンドウの中心の同心度の深刻な偏心現象を回避するためには、加工精度を高めて加工誤差を下げる必要がある。しかしながら、同心度の偏心現象は、下げることはできるが、完全に避けることはできず、大量生産する過程で一定の分布法則を有する。つまり、非常に良いものもあって、悪いものもある。一旦組み立てが完了すると、同心度の偏心状況は固定され、再調整できなくなる。もし同心度偏心が深刻であると、新たに生産するか、廃棄するしかなく、これは不良率の上昇をもたらす。
本発明の実施例は、背景技術に記載されたカメラの光学中心と外観ウィンドウの中心の同心度の偏心が深刻で、不良率が高くなる問題を解決するために、光学中心校正方法、装置、プログラム、及び記憶媒体を提供する。その解決策は、下記の通りである。
【手続補正５】
【補正対象書類名】明細書
【補正対象項目名】０００４
【補正方法】変更
【補正の内容】
【０００４】
本発明の実施例の第１の態様によると、光学中心校正方法を提供し、当該光学中心校正方法は、
ウィンドウカバーが固定装着され、カメラが予め装着された後に、カメラの位置を調整するステップを含み、
前記カメラの位置を調整するステップにおいて、前記ウィンドウカバーにおける外観ウィンドウ中心を基準にして前記カメラの光学中心の位置を調整することにより、前記カメラの光学中心と前記外観ウィンドウの中心との同心度要求を満足させる。
好ましくは、前記カメラの位置を調整するステップは、
前記カメラと前記外観ウィンドウの正面視方向における正投影を取得するステップ１００と、
取得した前記カメラと前記外観ウィンドウの正投影に基づいて、調整目標と調整領域を設定するステップ２００と、
調整目標と調整領域の差異に基づいて、前記調整目標が前記調整領域内に位置するように前記カメラの実際の位置を調整することにより、前記カメラの光学中心と前記外観ウィンドウの中心との同心度要求を満足させるステップ３００と、を含む。
好ましくは、前記ステップ１００において、前記カメラの光学中心及び前記カメラの外径の正面視方向における正投影を取得し、前記外観ウィンドウ中心及び前記外観ウィンドウの外径の正面視方向における正投影を取得する。
好ましくは、前記ステップ２００において、前記調整目標は、前記カメラの光学中心の正面視方向における正投影と同心を持つ円であり、前記円の直径は、前記外観ウィンドウの外径と等しく、前記調整領域は、前記外観ウィンドウ中心の正面視方向における正投影と同心を持つリングであり、前記リングの外径と内径は、それぞれ前記外観ウィンドウの外径のプラス位置誤差及びマイナス位置誤差の値である。
好ましくは、前記ステップ３００において、前記円と前記リングの差異に基づいて、前記円が前記リングの領域内に位置するまで、前記カメラの実際のＸ方向位置及びＹ方向位置を調整する。
好ましくは、前記ステップ２００において、調整目標は、前記カメラの光学中心の正面視方向における正投影と同心を持つ円であり、前記円の直径は、前記カメラの外径と等しく、前記調整領域は、前記外観ウィンドウ中心の正面視方向における正投影と同心を持つリングであり、前記リングの外径と内径は、それぞれ前記カメラの外径のプラス位置誤差及びマイナス位置誤差の値である。
好ましくは、前記ステップ３００において、前記円と前記リングの差異に基づいて、前記円が前記リングの領域内に位置するまで、前記カメラの実際のＸ方向位置及びＹ方向位置を調整する。
本発明の実施例の第２の態様によると、前記光学中心校正方法を実行する光学中心校正装置を提供し、当該光学中心校正装置は、
プロジェクター、コンピュータ、及び調整アセンブリを含み、
前記プロジェクターは、前記カメラと前記外観ウィンドウの正面視方向における正投影を取得し、
前記コンピュータは、取得した前記カメラと前記外観ウィンドウの正投影に基づいて、前記調整目標及び前記調整領域を設定し、
前記調整アセンブリは、前記カメラの実際の位置を調整する。
好ましくは、前記調整アセンブリは２つ設けられ、
前記２つの調整アセンブリは、前記カメラの光学中心に対して、それぞれ横方向と縦方向の軸線に設けられ、
前記２つの調整アセンブリは、ぞれぞれ前記カメラに隣接して設けられ、
前記２つの調整アセンブリは、それぞれ前記カメラと接触し、
前記調整アセンブリは、それぞれ１つのスクリューと１つの弾性片を含み、前記スクリューは、ケーシングに固定され、前記スクリューは、前記カメラに対してＺ方向で移動し、前記スクリューの挿入／引き出しによって、前記弾性片が変形およびリセットされ、前記カメラの実際の位置を調整する。
好ましくは、前記弾性片は、全体的にＵ形に形成され、
前記弾性片の一端は、前記ケーシングに固定され、前記弾性片の他端は、前記カメラを支持し、前記弾性片の中心部分は、前記スクリューと接触する。
本発明の実施例の第３の態様によると、プログラムを提供し、当該プログラムは、プロセッサに実行されることにより、上記光学中心校正方法を実現する。
本発明の実施例の第４の態様によると、記録媒体を提供し、当該記録媒体には、上記プログラムが記録されている。
【国際調査報告】
2016505875.tif 000012
2016505875.tif 000013
2016505875.tif 000014
2016505875.tif 000015